(57)【特許請求の範囲】
【請求項１】
希望波に隣接する放送波による妨害を検出する隣接妨害検出手段と、
この隣接妨害検出手段から出力される妨害検出信号に基づいて同調周波数を隣接する放送波から離調する方向にシフトさせる同調周波数シフト手段と、
この同調周波数シフト手段による同調周波数のシフト幅を希望波に歪みが生じない範囲に制限するシフト幅制限手段とを備え、
このシフト幅制限手段が、受信信号の電界強度を検出する電界強度検出手段と、この電界強度検出手段によって検出された受信信号の電界強度に基づいて、受信信号の電界強度が所定の値よりも小さいときには電界強度が小さくなるのに対応してシフト幅が小さくなるように同調周波数の最大シフト幅を設定し、電界強度が前記所定の値よりも大きいときにはシフト幅が所定の一定値になるように同調周波数の最大シフト幅を設定する最大シフト幅設定手段とを備えていることを特徴とするＦＭ受信装置。
【請求項２】
前記シフト幅制限手段が、受信信号の中間周波信号をＡＭ検波したＡＭ検波出力に基づいて電界強度を検出する請求項１に記載のＦＭ受信装置。
【請求項３】
希望波に隣接する放送波による妨害を検出する隣接妨害検出手段と、
この隣接妨害検出手段から出力される妨害検出信号に基づいて同調周波数を隣接する放送波から離調する方向にシフトさせる同調周波数シフト手段と、
この同調周波数シフト手段による同調周波数のシフト幅を希望波に歪みが生じない範囲に制限するシフト幅制限手段とを備え、
このシフト幅制限手段が、ＦＭ検波出力の変調レベルを検出する変調レベル検出手段と、この変調レベル検出手段によって検出されたＦＭ検波出力の変調レベルに基づいて、変調レベルが所定の値よりも小さいときにはシフト幅が所定の一定値になるように同調周波数の最大シフト幅を設定し、変調レベルが所定の値よりも大きいときには変調レベルが大きくなるのに対応してシフト幅が小さくなるように同調周波数の最大シフト幅を設定する最大シフト幅設定手段とを備えていることを特徴とするＦＭ受信装置。
【請求項４】
前記シフト幅制限手段が、ＦＭ検波出力をＡＭ検波したＡＭ検波出力に基づいて変調レベルを検出する請求項３に記載のＦＭ受信装置。
【請求項５】
希望波に隣接する放送波による妨害を検出する隣接妨害検出手段と、
この隣接妨害検出手段から出力される妨害検出信号に基づいて同調周波数を隣接する放送波から離調する方向にシフトさせる同調周波数シフト手段と、
この同調周波数シフト手段による同調周波数のシフト幅を希望波に歪みが生じない範囲に制限するシフト幅制限手段とを備え、
このシフト幅制限手段が、受信信号の電界強度を検出する電界強度検出手段と、ＦＭ検波出力の変調レベルを検出する変調レベル検出手段と、前記電界強度検出手段によって検出された受信信号の電界強度に基づいて、受信信号の電界強度が所定の値よりも小さいときには電界強度が小さくなるのに対応してシフト幅が小さくなるように同調周波数の最大シフト幅を設定し、電界強度が前記所定の値よりも大きいときにはシフト幅が所定の一定値になるように同調周波数の最大シフト幅を設定する第１最大シフト幅設定手段と、前記変調レベル検出手段によって検出されたＦＭ検波出力の変調レベルに基づいて、変調レベルが所定の値よりも小さいときにはシフト幅が所定の一定値になるように同調周波数の最大シフト幅を設定し、変調レベルが所定の値よりも大きいときには変調レベルが大きくなるのに対応してシフト幅が小さくなるように同調周波数の最大シフト幅を設定する第２最大シフト幅設定手段とを備え、
前記同調周波数シフト手段が、前記第１最大シフト幅設定手段と第２最大シフト幅設定手段によってそれぞれ設定された同調周波数の最大シフト幅のうち小さい方の最大シフト幅によって同調周波数をシフトさせることを特徴とするＦＭ受信装置。
【発明の詳細な説明】
【０００１】
【発明の属する技術分野】
この発明は、隣接妨害の検出によって同調周波数をシフトさせるＦＭ受信装置に関する。
【０００２】
【発明が解決しようとする課題】
近年、放送局の増加によって他の放送局との周波数間隔が近接してきており、これにともなって、ＦＭ受信装置で受信した希望放送局の同調周波数信号と隣接する他の放送局の周波数信号との間の干渉や混信により良好な受信が阻害される、いわゆる、隣接妨害と呼ばれる受信障害の発生が多くなって来ている。
【０００３】
従来のＦＭ受信装置は、上記のような隣接妨害が検出された際に、ＩＦフィルタを切り替えることによって、隣接妨害を除去している。
【０００４】
すなわち、従来のＦＭ受信装置は、図８に示されるように、隣接妨害が無いときには、フロントエンド１から出力される中間周波数（ＩＦ）信号を、広帯域のフィルタ特性を有する広帯域ＩＦフィルタ２Ａに入力して、その帯域通過信号がリミッタ回路３に出力されるようになっているが、図示しないマイクロコンピュータが、受信波をＡＭ検波したＳメータ出力に基づいて隣接妨害信号を検知した際にフィルタ切替スイッチＳＷを切り替えることにより、ＩＦ信号を狭帯域のフィルタ特性を有する狭帯域ＩＦフィルタ２Ｂに入力して、この狭帯域ＩＦフィルタ２Ｂにより隣接妨害信号を除去するようになっている。
【０００５】
しかしながら、このような従来のＦＭ受信装置では、ＩＦフィルタの切替時に急激なＳＮ比やＴＨＤが悪化するという問題がある。
そして、隣接妨害を除去するために帯域が異なる複数のＩＦフィルタを備える必要があり、製品コストが高くなるという問題がある。
【０００６】
そこで、本件出願人は、上記のような従来のＦＭ受信装置における問題点を解決するために、隣接妨害が生じている方向を検出してＦＭ受信装置の同調周波数を妨害が生じている方向と反対方向にシフトさせることにより隣接妨害を除去する新規なＦＭ受信装置を提案している。
【０００７】
しかしながら、このような同調周波数をシフトさせることによって隣接妨害を除去するＦＭ受信装置においては、隣接妨害波の電界強度が大きい場合には、それにともなって同調周波数が過量にシフトされてしまい、希望波が歪んでしまうという問題が発生してくる。
【０００８】
また、希望波の電界強度が小さい場合に、隣接妨害の検出によって同調周波数が過量にシフトされると、希望波に歪みが生じるという問題が発生する。
さらにまた、希望波のＦＭ変調度を深くすると実質的に音質が良くなるが、この希望波のＦＭ変調度が深い場合に、隣接妨害の検出によって同調周波数が過量にシフトされると、希望波に歪みが生じるという問題が生じる。
【０００９】
この発明は、上記のような隣接妨害の検出によって同調周波数をシフトさせるＦＭ受信装置において発生する問題点を解決するために為されたものである。
すなわち、この発明は、隣接妨害の検出によって同調周波数をシフトさせる際に、希望波に歪みが生じるのを防止することが出来るＦＭ受信装置を提供することを目的としている。
【００１０】
【課題を解決するための手段】
第１の発明によるＦＭ受信装置は、上記目的を達成するために、希望波に隣接する放送波による妨害を検出する隣接妨害検出手段と、この隣接妨害検出手段から出力される妨害検出信号に基づいて同調周波数を隣接する放送波から離調する方向にシフトさせる同調周波数シフト手段と、この同調周波数シフト手段による同調周波数のシフト幅を希望波に歪みが生じない範囲に制限するシフト幅制限手段とを備え、このシフト幅制限手段が、受信信号の電界強度を検出する電界強度検出手段と、この電界強度検出手段によって検出された受信信号の電界強度に基づいて、受信信号の電界強度が所定の値よりも小さいときには電界強度が小さくなるのに対応してシフト幅が小さくなるように同調周波数の最大シフト幅を設定し、電界強度が前記所定の値よりも大きいときにはシフト幅が所定の一定値になるように同調周波数の最大シフト幅を設定する最大シフト幅設定手段とを備えていることを特徴としている。
【００１１】
この第１の発明によるＦＭ受信装置は、隣接妨害が生じた際に、隣接妨害検出手段によって、例えばＦＭ検波回路から出力されるＦＭ検波出力とＡＭ検波回路から出力されるＳメータ出力との相関に基づいて、隣接妨害波の検出を行う。
【００１２】
そして、この隣接妨害検出手段による検出結果に基づいて、同調周波数シフト手段が，ＦＭ受信装置の同調周波数を隣接妨害を生じさせる放送波から離調する方向にシフトさせることにより、隣接妨害を除去する。このとき、シフト幅制限手段が、隣接妨害が検出された際の同調周波数のシフト幅を希望波に歪みが生じない所要の範囲に制限する。
すなわち、このシフト幅制限手段は、電界強度検出手段によって検出された受信信号の電界強度に基づいて同調周波数の最大シフト幅の設定を行う。すなわち、受信信号の電界強度が所定の値よりも小さいときには電界強度が小さくなるのに対応してシフト幅が小さくなるように同調周波数の最大シフト幅を設定し、電界強度が前記所定の値よりも大きいときにはシフト幅が所定の一定値になるように設定する。
【００１３】
以上のように、上記第１の発明によれば、隣接妨害が検出された際に、ＦＭ受信装置の同調周波数が隣接妨害波から離調する方向にシフトされることによって隣接妨害が除去されるとともに、同調周波数が過量にシフトされるのが防止されて、希望波に歪みが生じるのが防止される。
すなわち、電界強度が小さい場合にはその大きさに対応して同調周波数の最大シフト幅が小さくなるように制限され、電界強度が所定値よりも大きい場合には、所定の一定値よりも大きくならないように制限されるので、電界強度の大きさに対応した同調周波数の最大シフト幅の制限が行われて、希望波に歪みが生じるのが防止される。
【００１７】
第２の発明によるＦＭ受信装置は、前記目的を達成するために、第１の発明の構成に加えて、前記シフト幅制限手段が、受信信号の中間周波信号をＡＭ検波したＡＭ検波出力に基づいて電界強度を検出することを特徴としている。
【００１８】
この第２の発明によるＦＭ受信装置によれば、シフト幅制限手段における同調周波数の最大シフト幅の設定基準となる電界強度が、受信信号の中間周波信号をＡＭ検波したＡＭ検波出力に基づいて検出される。
【００１９】
第３の発明によるＦＭ受信装置は、前記目的を達成するために、希望波に隣接する放送波による妨害を検出する隣接妨害検出手段と、この隣接妨害検出手段から出力される妨害検出信号に基づいて同調周波数を隣接する放送波から離調する方向にシフトさせる同調周波数シフト手段と、この同調周波数シフト手段による同調周波数のシフト幅を希望波に歪みが生じない範囲に制限するシフト幅制限手段とを備え、このシフト幅制限手段が、ＦＭ検波出力の変調レベルを検出する変調レベル検出手段と、この変調レベル検出手段によって検出されたＦＭ検波出力の変調レベルに基づいて、変調レベルが所定の値よりも小さいときにはシフト幅が所定の一定値になるように同調周波数の最大シフト幅を設定し、変調レベルが所定の値よりも大きいときには変調レベルが大きくなるのに対応してシフト幅が小さくなるように同調周波数の最大シフト幅を設定する最大シフト幅設定手段とを備えていることを特徴としている。
【００２０】
この第３の発明によるＦＭ受信装置は、隣接妨害が生じた際に、隣接妨害検出手段によって、例えばＦＭ検波回路から出力されるＦＭ検波出力とＡＭ検波回路から出力されるＳメータ出力との相関に基づいて、隣接妨害波の検出を行う。
そして、この隣接妨害検出手段による検出結果に基づいて、同調周波数シフト手段が，ＦＭ受信装置の同調周波数を隣接妨害を生じさせる放送波から離調する方向にシフトさせることにより、隣接妨害を除去する。
このとき、シフト幅制限手段が、隣接妨害が検出された際の同調周波数のシフト幅を希望波に歪みが生じない所要の範囲に制限する。
このシフト幅制限手段は、変調レベル検出手段によって検出されたＦＭ検波出力の変調レベルに基づいて同調周波数の最大シフト幅の設定を行う。
【００２１】
すなわち、ＦＭ検波出力の変調レベルが所定の値よりも小さいときにはシフト幅が所定の一定値になるように設定を行い、ＦＭ検波出力の変調レベルが前記所定の値よりも大きいときには変調レベルが大きくなるのに対応してシフト幅が小さくなるように同調周波数の最大シフト幅の設定を行う。
【００２２】
以上のように、上記第３の発明によれば、隣接妨害が検出された際に、ＦＭ受信装置の同調周波数が隣接妨害波から離調する方向にシフトされることによって隣接妨害が除去されるとともに、同調周波数が過量にシフトされるのが防止されて、希望波に歪みが生じるのが防止される。
すなわち、ＦＭ検波出力の変調レベルが小さい場合には同調周波数の最大シフト幅が所定の一定値よりも大きくならないように制限され、変調レベルが所定値よりも大きい場合にはその大きさに対応して同調周波数の最大シフト幅が小さくなるように制限されるので、ＦＭ検波出力の変調レベルに対応した同調周波数の最大シフト幅の制限が行われて、希望波に歪みが生じるのが防止される。
【００２３】
第４の発明によるＦＭ受信装置は、前記目的を達成するために、第３の発明の構成に加えて、前記シフト幅制限手段が、ＦＭ検波出力をＡＭ検波したＡＭ検波出力に基づいて変調レベルを検出することを特徴としている。
【００２４】
この第４の発明によるＦＭ受信装置によれば、シフト幅制限手段における同調周波数の最大シフト幅の設定基準となるＦＭ検波出力の変調レベルが、ＦＭ検波出力をＡＭ検波したＡＭ検波出力に基づいて検出される。
【００２５】
第５の発明によるＦＭ受信装置は、前記目的を達成するために、希望波に隣接する放送波による妨害を検出する隣接妨害検出手段と、この隣接妨害検出手段から出力される妨害検出信号に基づいて同調周波数を隣接する放送波から離調する方向にシフトさせる同調周波数シフト手段と、この同調周波数シフト手段による同調周波数のシフト幅を希望波に歪みが生じない範囲に制限するシフト幅制限手段とを備え、このシフト幅制限手段が、受信信号の電界強度を検出する電界強度検出手段と、ＦＭ検波出力の変調レベルを検出する変調レベル検出手段と、前記電界強度検出手段によって検出された受信信号の電界強度に基づいて、受信信号の電界強度が所定の値よりも小さいときには電界強度が小さくなるのに対応してシフト幅が小さくなるように同調周波数の最大シフト幅を設定し、電界強度が前記所定の値よりも大きいときにはシフト幅が所定の一定値になるように同調周波数の最大シフト幅を設定する第１最大シフト幅設定手段と、前記変調レベル検出手段によって検出されたＦＭ検波出力の変調レベルに基づいて、変調レベルが所定の値よりも小さいときにはシフト幅が所定の一定値になるように同調周波数の最大シフト幅を設定し、変調レベルが所定の値よりも大きいときには変調レベルが大きくなるのに対応してシフト幅が小さくなるように同調周波数の最大シフト幅を設定する第２最大シフト幅設定手段とを備え、前記同調周波数シフト手段が、前記第１最大シフト幅設定手段と第２最大シフト幅設定手段によってそれぞれ設定された同調周波数の最大シフト幅のうち小さい方の最大シフト幅によって同調周波数をシフトさせることを特徴としている。
【００２６】
この第５の発明によるＦＭ受信装置は、隣接妨害が生じた際に、隣接妨害検出手段によって、例えばＦＭ検波回路から出力されるＦＭ検波出力とＡＭ検波回路から出力されるＳメータ出力との相関に基づいて、隣接妨害波の検出を行う。
そして、この隣接妨害検出手段による検出結果に基づいて、同調周波数シフト手段が，ＦＭ受信装置の同調周波数を隣接妨害を生じさせる放送波から離調する方向にシフトさせることにより、隣接妨害を除去する。
このとき、シフト幅制限手段が、隣接妨害が検出された際の同調周波数のシフト幅を希望波に歪みが生じない所要の範囲に制限する。
このシフト幅制限手段は、第１最大シフト幅設定手段により、電界強度検出手段によって検出された受信信号の電界強度に基づいて、受信信号の電界強度が所定の値よりも小さいときには電界強度が小さくなるのに対応してシフト幅が小さくなるように同調周波数の最大シフト幅を設定し、電界強度が前記所定の値よりも大きいときにはシフト幅が所定の一定値になるように設定を行うとともに、第２最大シフト幅設定手段により、変調レベル検出手段によって検出されたＦＭ検波出力の変調レベルに基づいて、ＦＭ検波出力の変調レベルが所定の値よりも小さいときにはシフト幅が所定の一定値になるように設定を行い、ＦＭ検波出力の変調レベルが前記所定の値よりも大きいときには変調レベルが大きくなるのに対応してシフト幅が小さくなるように同調周波数の最大シフト幅の設定を行う。
【００２７】
そして、同調周波数シフト手段が、第１最大シフト幅設定手段と第２最大シフト幅設定手段によってそれぞれ設定された同調周波数の最大シフト幅のうち小さい方の最大シフト幅の設定値に基づいて同調周波数のシフトを行う。
【００２８】
以上のように、上記第５の発明によれば、隣接妨害が検出された際に、ＦＭ受信装置の同調周波数が隣接妨害波から離調する方向にシフトされることによって隣接妨害が除去されるとともに、同調周波数が過量にシフトされるのが防止されて、希望波に歪みが生じるのが防止される。
すなわち、同調周波数の最大シフト幅が電界強度とＦＭ検波出力の変調レベルに基づいて設定され、双方に基づいてそれぞれ設定された同調周波数の最大シフト幅のうち、小さい方の設定値によって同調周波数の最大シフト幅が制限されるので、希望波に歪みが生じるのが確実に防止される。
【００２９】
【発明の実施の形態】
以下、この発明の最も好適と思われる実施の形態について、図面を参照しながら詳細に説明を行う。
【００３０】
図１は、この発明によるＦＭ受信装置の実施形態の一例を示すブロック図である。
この図１において、図示しないアンテナ回路によって受信された放送波が高周波増幅回路によって増幅されることにより生成された希望波（ＲＦ信号）は、混合器１０に入力される。
【００３１】
そして、この混合器１０において、ＲＦ信号は、局部発振回路１１から入力される局部発振信号と混合されて中間周波数（ＩＦ）信号に変換され、さらに、ＩＦ増幅回路１２によって増幅される。
【００３２】
このＩＦ信号は、次に、リミッタ回路１３に入力されて振幅が一定のＦＭ信号に生成された後、ＦＭ検波回路１４においてＦＭ検波されて、そのＦＭ検波出力ａが、図示しないステレオ復調回路およびディエンファシス，低周波増幅回路を通ってステレオ再生される。
以上の構成は、従来のＦＭ受信装置と同様の構成である。
【００３３】
このＦＭ受信装置は、さらに、上記構成に加えて、リミッタ回路１３に入力される前のＩＦ信号をＡＭ検波するＡＭ検波回路１５と、このＡＭ検波回路１５からのＡＭ検波出力（Ｓメータ出力）ｂとＦＭ検波回路１４からのＦＭ検波出力ａが入力されて隣接妨害波の周波数が希望波の周波数に比べて高いか低いかを検出する妨害方向検出回路１６と、この妨害方向検出回路１６からの検出信号に基づいて局部発振回路１１に同調周波数データ信号ｃを出力して局部発振回路１１から出力される局部発振信号の周波数を制御するマイクロコンピュータ１７と、ＦＭ検波回路１４から出力されるＦＭ検波出力ａが入力されてこのＦＭ検波出力ａをＡＭ検波することによりＦＭ変調レベルの検出を行い、そのＦＭ変調レベル検出信号ｄをマイクロコンピュータ１７に出力する変調レベル検出回路１８を備えている。
【００３４】
そして、ＡＭ検波回路１５から出力されるＡＭ検波出力（Ｓメータ出力）ｂの一部がマイクロコンピュータ１７に入力されるようになっている。
【００３５】
図２は、妨害方向検出回路１６の構成を示すブロック図である。
この図２において、妨害方向検出回路１６は、ＡＭ検波回路１５から出力されたＡＭ検波出力ｂが入力されるＨＰＦ１６Ａと、このＨＰＦ１６Ａを通過したＡＭ検波出力ｂが入力されてこのＡＭ検波出力ｂのビート周期を検出するコンパレータ１６Ｂと、ＦＭ検波回路１４から出力されたＦＭ検波出力ａが入力されるＨＰＦ１６Ｃと、このＨＰＦ１６Ｃを通過したＦＭ検波出力ａとコンパレータ１６Ｂにおいて検出されたＡＭ検波出力ｂのビート周期によりＦＭ検波出力ａのＡＣ成分のサンプリング（ＦＭ検波出力ａとＡＭ検波出力ｂの乗算）を行うサンプリング回路１６Ｄと、このサンプリング回路１６Ｄからのサンプリング出力が入力されるＬＰＦ１６Ｅと、このＬＰＦ１６Ｅを通過した乗算出力が入力されてこの乗算出力をあらかじめ設定された上基準値および下基準値と比較してＨＩ信号またはＬＯ信号を出力する第１ウインドコンパレータ１６Ｆと、ＦＭ検波回路１４からのＦＭ検波出力ａが入力されるＬＰＦ１６Ｇと、このＬＰＦ１６Ｇを通過したＦＭ検波出力ａが入力されてこのＦＭ検波出力ａのＤＣ成分をあらかじめ設定された上基準値および下基準値と比較してＨＩ信号またはＬＯ信号を出力する第２ウインドコンパレータ１６Ｈと、第１ウインドコンパレータ１６Ｆおよび第２ウインドコンパレータ１６ＨのそれぞれからＨＩ信号またはＬＯ信号が入力されてこの第１ウインドコンパレータ１６Ｆまたは第２ウインドコンパレータ１６ＨからのＨＩ信号またはＬＯ信号をマイクロコンピュータ１７に出力する制御回路１６Ｉとから構成されている。
【００３６】
次に、上記の妨害方向検出回路１６における隣接妨害の方向検出の動作について説明を行う。
ここで、この妨害方向検出回路１６の作動の説明の前に、先ず、ＦＭ検波出力ａの特性についての説明を行う。
【００３７】
図３および４は、ＦＭ検波出力ａとＡＭ検波出力ｂの周波数変動を、それぞれ、希望波と妨害波の比（Ｄ／Ｕ比）をシュミレーションによって時間とともに変化させてプロットすることにより示したグラフであり、図３は、隣接妨害波の周波数が希望波の周波数に比べて高い（＋２００ｋＨｚ）場合（以下、上側妨害という）の周波数変動を、また、図４は、隣接妨害波の周波数が希望波の周波数に比べて低い（−２００ｋＨｚ）場合（以下、下側妨害という）の周波数変動を示している。
【００３８】
この図３および４から、隣接妨害が生じているときには、ＦＭ検波出力ａとＡＭ検波出力ｂの双方に妨害に伴うビート成分が生じているのが分かる。
そしてさらに、隣接妨害によって、以下の特性が現れているのが分かる。
すなわち、
（１）隣接妨害波が希望波よりも弱い（Ｄ／Ｕ比がマイナス）のとき、
ａ）上側妨害（図３）のときには、ＦＭ検波出力ａのビート成分とＡＭ検波出力ｂのビート成分が互いに同相となり、
ｂ）下側妨害（図４）のときには、ＦＭ検波出力ａのビート成分とＡＭ検波出力ｂのビート成分が互いに逆相になり、
（２）隣接妨害波が希望波よりも強い（Ｄ／Ｕ比がプラス）のとき、
ｃ）上側妨害（図３）のときには、ＦＭ検波出力ａのＤＣが妨害波の離調周波数分だけプラスの方向にずれており、
ｄ）下側妨害（図４）のときには、ＦＭ検波出力ａのＤＣが妨害波の離調周波数分だけマイナスの方向にずれている。
【００３９】
妨害方向検出回路１６は、以上のようなＦＭ検波出力ａの特性を利用して、上記（１）の隣接妨害波が希望波よりも弱い（Ｄ／Ｕ比がマイナス）場合については、第１ウインドコンパレータ１６Ｆによって妨害方向の検出を行い、上記（２）の隣接妨害波が希望波よりも強い（Ｄ／Ｕ比がプラス）場合については、第２ウインドコンパレータ１６Ｈによって妨害方向の検出を行う。
【００４０】
すなわち、妨害方向検出回路１６は、ＦＭ検波出力ａのＨＰＦ１６Ｃを通過したＡＣ成分を、サンプリング回路１６Ｄにおいて、ＨＰＦ１６Ａを通過したＡＭ検波出力ｂが入力されるコンパレータ１６Ｂから得られるビート周期で、サンプリング（ＦＭ検波出力ａとＡＭ検波出力ｂを乗算）する。
【００４１】
次に、ＬＰＦ１６Ｅを通過したサンプリング回路１６Ｄの乗算出力のＤＣ成分を、第１ウインドコンパレータ１６Ｆに入力する。
そして、この第１ウインドコンパレータ１６Ｆにおいて、乗算出力のＤＣ成分値を、あらかじめ設定されている上基準値および下基準値と比較する。
【００４２】
ここで、この第１ウインドコンパレータ１６Ｆに設定された上基準値と下基準値は、隣接妨害が有ったときに後述する同調周波数のシフトを行うか否かを判定するための乗算出力のＤＣ成分値の上限と下限の値を示すものである。
また、サンプリング回路１６Ｄからの乗算出力は、前述したように、上側妨害（妨害波周波数＞希望波周波数）の場合には、ＦＭ検波出力ａとＡＭ検波出力ｂのビート成分が互いに同相であるためプラスとなり、下側妨害（妨害波周波数＜希望波周波数）の場合には互いに逆相であるためマイナスとなる。
【００４３】
従って、第１ウインドコンパレータ１６Ｆにおける比較において、
ｉ）ＤＣ成分値＞上基準値の場合には、サンプリング回路１６Ｄからの乗算出力がプラスであり隣接妨害が設定された上基準値よりも大きいことを示すＨＩ信号を制御回路１６Ｉに出力し、
ｉｉ）  ＤＣ成分値＜下基準値の場合には、サンプリング回路１６Ｄからの乗算出力がマイナスであり隣接妨害が設定された下基準値よりも小さいことを示すＬＯ信号を制御回路１６Ｉに出力し、
ｉｉｉ）  下基準値＜ＤＣ成分値＜上基準値の場合には、制御回路１６Ｉに何も信号を出力しない。
【００４４】
制御回路１６Ｉは、第１ウインドコンパレータ１６Ｆから上記のＨＩ信号が入力されたときには、隣接妨害が上側妨害であり同調周波数のシフトを行う必要があるとの判断を行い、ＬＯ信号が入力されたときには、隣接妨害が上側妨害であり同調周波数のシフトを行う必要があるとの判断を行う。
また、妨害方向検出回路１６は、ＦＭ検波出力ａのＬＰＦ１６Ｇを通過したＤＣ成分を、第２ウインドコンパレータ１６Ｈに入力して、このＦＭ検波出力ａのＤＣ成分値を、あらかじめ設定されている上基準値および下基準値と比較する。
【００４５】
ここで、この第２ウインドコンパレータ１６Ｈに設定された上基準値と下基準値は、隣接妨害が有ったときに後述する同調周波数のシフトを行うか否かを判定するためのＦＭ検波出力ａのＤＣ成分のオフセット量の上限と下限の値を示すものである。
【００４６】
また、ＦＭ検波出力ａのＤＣ成分は、前述したように、上側妨害（妨害波周波数＞希望波周波数）の場合にはプラスの方向にずれ、下側妨害（妨害波周波数＜希望波周波数）の場合にはマイナスの方向にずれる。
従って、第２ウインドコンパレータ１６Ｈにおける比較において、
ｉｖ）  ＤＣ成分値＞上基準値の場合には、ＤＣ成分がプラス方向にずれており隣接妨害が設定された上基準値よりも大きいことを示すＨＩ信号を制御回路１６Ｉに出力し、
ｖ）  ＤＣ成分値＜下基準値の場合には、ＤＣ成分がマイナス方向にずれており隣接妨害が設定された下基準値よりも小さいことを示すＬＯ信号を制御回路１６Ｉに出力し、
ｖｉ）    下基準値＜ＤＣ成分値＜上基準値の場合には、制御回路１６Ｉに何も信号を出力しない。
【００４７】
制御回路１６Ｉは、第２ウインドコンパレータ１６Ｈから上記のＨＩ信号が入力されたときには、隣接妨害が上側妨害であり同調周波数のシフトを行う必要があるとの判断を行い、ＬＯ信号が入力されたときには、隣接妨害が上側妨害であり同調周波数のシフトを行う必要があるとの判断を行う。
【００４８】
そして、制御回路１６Ｉは、第１ウインドコンパレータ１６Ｆと第２ウインドコンパレータ１６ＨからともにＨＩ信号またはＬＯ信号が入力されるときには、第２ウインドコンパレータ１６Ｈからの信号を優先させて妨害方向の判断を行い、第２ウインドコンパレータ１６Ｈから何も信号が入力されないときには、第１ウインドコンパレータ１６Ｆからの信号に基づいて妨害方向の判断を行う。
【００４９】
そして、制御回路１６Ｉは、第２ウインドコンパレータ１６Ｈまたは第１ウインドコンパレータ１６ＦからのＨＩ信号によって、隣接妨害が上側妨害であり同調周波数のシフトを行う必要があると判断した場合には、マイクロコンピュータ１７に妨害検出出力ＨＩ信号を出力する。
【００５０】
また、制御回路１６Ｉは、第２ウインドコンパレータ１６Ｈまたは第１ウインドコンパレータ１６ＦからのＬＯ信号によって、隣接妨害が下側妨害であり同調周波数のシフトを行う必要があると判断した場合には、マイクロコンピュータ１７に妨害検出出力ＬＯ信号を出力する。
【００５１】
そして、マイクロコンピュータ１７は、この制御回路１６Ｉから入力される妨害検出出力ＨＩ信号およびＬＯ信号に基づいて、局部発振回路１１に、この局部発振回路１１から混合器１０に出力される局部発振信号の同調周波数（局発周波数）を隣接妨害が生じている方向と反対方向にシフトさせる同調周波数データ（直流電圧）信号ｃを出力する。
【００５２】
すなわち、マイクロコンピュータ１７に妨害方向検出回路１６から妨害検出出力ＨＩ信号が入力されるときには、隣接妨害が上側妨害であり除去する必要があるほどに大きい場合であるから、マイクロコンピュータ１７は、局部発振回路１１のＰＬＬにＶＯＣから混合器１０に出力される局部発振信号の同調周波数を小さくなる方向にシフトさせる同調周波数データ信号ｃを出力する。
【００５３】
反対に、マイクロコンピュータ１７に妨害方向検出回路１６から妨害検出出力ＬＯ信号が入力されるときには、隣接妨害が下側妨害であり除去する必要があるほどに大きい場合であるから、マイクロコンピュータ１７は、局部発振回路１１のＰＬＬにＶＯＣから混合器１０に出力される局部発振信号の同調周波数を大きくなる方向にシフトさせる同調周波数データ信号ｃを出力する。
【００５４】
この同調周波数データ信号ｃによってシフトされる同調周波数の最大シフト幅は、マイクロコンピュータ１７により、ＡＭ検波回路１５から入力されるＡＭ検波出力ｂによって示される電界強度と、変調レベル検出回路１８から入力されるＦＭ変調レベル検出信号ｄによって示されるＦＭ変調レベルに基づいて、設定される。
【００５５】
このマイクロコンピュータ１７による同調周波数のシフト幅の設定は、以下のようにして行われる。
すなわち、マイクロコンピュータ１７は、ＡＭ検波回路１５から入力されるＡＭ検波出力ｂによって示される受信波の電界強度に基づいて、その電界強度があらかじめ定められた所定の値よりも小さいときには、電界強度が小さくなるのに対応してシフト幅が小さくなるように同調周波数の最大シフト幅を設定し、電界強度があらかじめ定められた所定の値よりも大きいときには、シフト幅があらかじめ定められた一定の値になるように同調周波数の最大シフト幅を設定する。
【００５６】
図５は、上記のような受信波の電界強度と同調周波数の最大シフト幅の設定値との関係を示すグラフであって、（ａ）はＡＭ検波出力（Ｓメータ出力）ｂの大きさと受信波の電界強度の関係を示しており、（ｂ）は電界強度と同調周波数の最大シフト幅との関係を示している。
【００５７】
この図５（ａ）に示されるように、電界強度の大きさはＡＭ検波出力（Ｓメータ出力）ｂの大きさに比例しており、マイクロコンピュータ１７は、このＡＭ検波出力（Ｓメータ出力）ｂの大きさに基づいて電界強度の大きさを認識する。
【００５８】
そして、マイクロコンピュータ１７は、図５（ｂ）に示されるように、電界強度が所定の値ｅよりも小さいときには、電界強度が小さくなるのに対応してシフト幅ｆ’が小さくなるように最大シフト幅を設定し、電界強度が所定の値ｅよりも大きいときには、最大シフト幅を一定のシフト幅ｆになるように設定する。
【００５９】
さらに、マイクロコンピュータ１７は、変調レベル検出回路１８から入力されるＦＭ変調レベル検出信号ｄによって示されるＦＭ検波出力ａのＦＭ変調レベルに基づいて、そのＦＭ変調レベルがあらかじめ定められた所定の値よりも小さいときには、シフト幅があらかじめ定められた一定の値になるように同調周波数の最大シフト幅を設定し、ＦＭ変調レベルがあらかじめ定められた所定の値よりも大きいときには、ＦＭ変調レベルが大きくなるのに対応してシフト幅が小さくなるように同調周波数の最大シフト幅を設定する。
【００６０】
図６は、上記のようなＦＭ検波出力のＦＭ変調レベルと同調周波数の最大シフト幅の設定値との関係を示すグラフであって、（ａ）はＦＭ変調レベル検出信号ｄの出力とＦＭ変調レベルの関係を示しており、（ｂ）はＦＭ変調レベルと同調周波数の最大シフト幅との関係を示している。
【００６１】
この図６（ａ）に示されるように、ＦＭ変調レベルはＦＭ変調レベル検出信号ｄの大きさに比例しており、マイクロコンピュータ１７は、このＦＭ変調レベル検出信号ｄの大きさに基づいてＦＭ変調レベルを認識する。
【００６２】
そして、マイクロコンピュータ１７は、図６（ｂ）に示されるように、ＦＭ変調レベルが所定の値ｇよりも小さいときには、最大シフト幅を一定のシフト幅ｈに設定し、ＦＭ変調レベルが所定の値ｇよりも大きいときには、ＦＭ変調レベルが大きくなるのに対応してシフト幅ｈ’が小さくなるように同調周波数の最大シフト幅を設定する。
【００６３】
ここで、マイクロコンピュータ１７が受信信号の電界強度とＦＭ検波出力のＦＭ変調レベルの双方から同調周波数の最大シフト幅の設定を行うときには、マイクロコンピュータ１７は、受信信号の電界強度に基づく同調周波数の最大シフト幅の値とＦＭ検波出力のＦＭ変調レベルに基づく同調周波数の最大シフト幅の値のうち、小さい方の値によって同調周波数の最大シフト幅の設定を行う。
【００６４】
図７は、上記のようなマイクロコンピュータ１７における同調周波数の最大シフト幅の設定の手順を示すフローチャートである。
この図７において、マイクロコンピュータ１７は、受信信号の電界強度の大きさとあらかじめ定められている電界強度の値ｅとを比較して（ステップｓ１）、電界強度が値ｅよりも小さいときには、電界強度が小さくなるのに対応して小さくなるシフト幅の値ｆ’を選択し（ステップｓ２）、電界強度が値ｅよりも大きいときには、一定のシフト幅の値ｆを選択する（ステップｓ３）。
【００６５】
次に、ＦＭ検波出力のＦＭ変調レベルとあらかじめ定められているＦＭ変調レベルの値ｇとを比較して（ステップｓ４）、ＦＭ変調レベルが値ｇよりも小さいときには、一定のシフト幅の値ｈを選択し（ステップｓ５）、ＦＭ変調レベルが値ｇよりも大きいときには、ＦＭ変調レベルが大きくなるのに対応して小さくなるシフト幅の値ｈ’を選択する（ステップｓ６）。
【００６６】
次に、上記のようにして選択された電界強度に基づくシフト幅の値ｆまたはｆ’とＦＭ変調レベルに基づくシフト幅の値ｈまたはｈ’とを比較して（ステップｓ７）、電界強度に基づくシフト幅の値ｆまたはｆ’のほうが小さいときには、同調周波数の最大シフト幅を値ｆまたはｆ’に設定し（ステップｓ８）、ＦＭ変調レベルに基づくシフト幅の値ｈまたはｈ’のほうが小さいときには、同調周波数の最大シフト幅を値ｈまたはｈ’に設定する（ステップｓ９）。
【００６７】
そして、この設定された同調周波数の最大シフト幅の値を隣接妨害が下側妨害の場合は同調周波数の初期値に加算し、上側妨害の場合は同調周波数の初期値から減算して、その周波数データを同調周波数データ信号ｃによって局部発振回路１１に出力する（ステップｓ１０）。
局部発振回路１１は、以上のようにして設定された同調周波数の最大シフト幅内において、隣接妨害検出時に、同調周波数を隣接妨害が存在する方向と反対方向にシフトさせる。
【図面の簡単な説明】
【図１】この発明の実施形態における一例を示すブロック図である。
【図２】同例における妨害方向検出回路の構成を示すブロック図である。
【図３】上側妨害のときのＦＭ受信機におけるＦＭ検波出力とＡＭ検波出力の周波数変動を示すグラフである。
【図４】下側妨害のときのＦＭ受信機におけるＦＭ検波出力とＡＭ検波出力の周波数変動を示すグラフである。
【図５】（ａ）はＳメータ出力と電界強度の関係を示すグラフであり、（ｂ）は最大シフト幅と電界強度の関係を示すグラフである。
【図６】（ａ）は変調検出出力と変調レベルの関係を示すグラフであり、（ｂ）は最大シフト幅と変調レベルの関係を示すグラフである。
【図７】同例における固定周波数の最大シフト幅の設定の手順を示すフローチャートである。
【図８】従来例を示すブロック図である。
【符号の説明】
１０  …混合器
１１  …局部発振回路（同調周波数シフト手段）
１２  …ＩＦ増幅回路
１３  …リミッタ回路
１４  …ＦＭ検波回路
１５  …ＡＭ検波回路（電界強度検出手段）
１６  …妨害方向検出回路（隣接妨害検出手段）
１６Ａ…ＨＰＦ
１６Ｂ…コンパレータ
１６Ｃ…ＨＰＦ
１６Ｄ…サンプリング回路
１６Ｅ…ＬＰＦ
１６Ｆ…ウインドコンパレータ
１６Ｇ…ＬＰＦ
１６Ｈ…ウインドコンパレータ
１６Ｉ…制御回路
１７  …マイクロコンピュータ（同調周波数シフト手段，シフト幅制限手段，シフト幅設定手段）
１８  …変調レベル検出回路（変調レベル検出手段）
ａ    …ＦＭ検波出力
ｂ    …ＡＭ検波出力（Ｓメータ出力）
ｃ    …同調周波数データ信号
ｄ    …変調レベル検出信号
【図１】
0003617788.tif 000002
【図２】
0003617788.tif 000003
【図３】
0003617788.tif 000004
【図４】
0003617788.tif 000005
【図５】
0003617788.tif 000006
【図６】
0003617788.tif 000007
【図７】
0003617788.tif 000008
【図８】
0003617788.tif 000009